(57)【特許請求の範囲】
【請求項１】
アンテナインターフェース回路であって、
主コネクタと、
主受信器のポートとして使用される前記主コネクタの共通接点と、
主アンテナのポートとして使用される前記主コネクタの常閉接点と、
外部アンテナのポートとして使用される前記主コネクタの常時開接点と、
を具備し、
前記アンテナインターフェース回路は、
単極双投スイッチと、
ダイバシティ受信器のポートとして使用される前記単極双投スイッチの共通接点と、
ダイバシティアンテナのポートとして使用される前記単極双投スイッチの常閉接点と、
をさらに具備し、
前記単極双投スイッチの常時開接点は、前記主コネクタの常閉接点に接続され、
前記主コネクタの共通接点が前記主コネクタの常時開接点に接続される場合には、前記単極双投スイッチの共通接点は、前記単極双投スイッチの常時開接点に接続されることを特徴とするアンテナインターフェース回路。
【請求項２】
前記主コネクタの共通接点が前記主コネクタの常時開接点に接続されていない場合には、前記単極双投スイッチの共通接点は、前記単極双投スイッチの常閉接点に接続されることを特徴とする請求項１に記載の回路。
【請求項３】
単極単投スイッチをさらに具備し、
前記単極単投スイッチを使用することにより、前記単極双投スイッチの常時開接点は、前記主コネクタの常閉接点に接続され、
前記主コネクタの共通接点が前記主コネクタの常時開接点に接続されている場合には、前記単極単投スイッチは閉じていることを特徴とする請求項１又は２に記載の回路。
【請求項４】
アンテナインターフェース回路であって、
主コネクタと、
主受信器のポートとして使用される前記主コネクタの共通接点と、
外部アンテナのポートとして使用される前記主コネクタの常時開接点と、
を具備し、
前記主コネクタは、第１単極双投スイッチ及び第２単極双投スイッチをさらに具備し、
前記主コネクタの常閉接点が、前記第１単極双投スイッチの常閉接点に接続されるとともに、前記第１単極双投スイッチの共通接点が、主アンテナのポートとして使用され、
前記第２単極双投スイッチの共通接点が、ダイバシティ受信器のポートとして使用され、
前記第２単極双投スイッチの常閉接点が、ダイバシティアンテナのポートとして使用され、
前記第２単極双投スイッチの常時開接点は、前記第１単極双投スイッチの常時開接点に接続され、
前記主コネクタの共通接点が前記主コネクタの常時開接点に接続される場合には、前記第１単極双投スイッチの共通接点が前記第１単極双投スイッチの常時開接点に接続されるとともに、前記第２単極双投スイッチの共通接点が前記第２単極双投スイッチの常時開接点に接続されることを特徴とするアンテナインターフェース回路。
【請求項５】
前記主コネクタの共通接点が前記主コネクタの常時開接点に接続されない場合には、前記第１単極双投スイッチの共通接点が前記第１単極双投スイッチの常閉接点と接続されるとともに、前記第２単極双投スイッチの共通接点が前記第２単極双投スイッチの常閉接点と接続されることを特徴とする請求項４に記載の回路。
【請求項６】
請求項１から３の何れか一項に従うアンテナインターフェース回路を具備するユニバーサル・モバイル・テレコミュニケーションズ・システム・データカード。
【請求項７】
請求項４または５の何れか一項に従うアンテナインターフェース回路を具備するユニバーサル・モバイル・テレコミュニケーションズ・システム・データカード。
【発明の詳細な説明】
【技術分野】
【０００１】
本発明は、通信技術の分野に関連し、特に、アンテナインターフェース回路、ユニバーサル・モバイル・テレコミュニケーションズ・システム・データカード、及びアンテナ接続制御方法及び装置に関連する。
【背景技術】
【０００２】
従来技術において、通信システムでは通常主受信器と、ダイバシティ受信器の２つの受信器が準備されている。受信器のアンテナのインターフェース回路が図１に示されている。主コネクタ(connector)の共通接点(c0)は、主受信器に接続され、常閉接点(c1)は、主アンテナに接続され、常時開接点(c2)は、外部アンテナに接続されている。すなわち、実際のアプリケーションシナリオの特定の必要に応じて、主受信器は、主アンテナ又は外部アンテナに接続でき、ダイバシティ受信器は、ダイバシティアンテナにのみ接続可能である。外部アンテナの性能は主アンテナのそれよりも高く、主アンテナの性能は、ダイバシティアンテナのそれよりも高い。
【０００３】
システムのMIMO(Multiple-Input Multiple-Output, 複数入力・複数出力)性能を確保するために、主受信器とダイバシティ受信器の間の性能差は通常大きく離れているとは予想されない。しかし、主受信器が外部アンテナに接続されるとともに、ダイバシティ受信器がダイバシティアンテナに接続される場合には、外部アンテナとダイバシティアンテナとの間に大きな性能差があるために、主受信器とダイバシティ受信器との間にも大きな性能差が存在し、システムのMIMO性能にさらに悪影響を及ぼす。
【発明の概要】
【課題を解決するための手段】
【０００４】
本発明の実施形態は、システムのMIMO効率を改善するアンテナインターフェース回路を提供する。
【０００５】
第１の態様は、主コネクタと、単極双投スイッチを含むアンテナインターフェース回路を提供し、
前記主コネクタの共通接点は、主受信器のポートとして使用され、
前記主コネクタの常閉接点は、主アンテナのポートとして使用され、
前記主コネクタの常時開接点は、外部アンテナのポートとして使用され、
前記単極双投スイッチの共通接点は、ダイバシティ受信器のポートとして使用され、
前記単極双投スイッチの常閉接点は、ダイバシティアンテナのポートとして使用され、
前記単極双投スイッチの常時開接点は、前記主受信器の常閉接点に接続され、
前記主コネクタの共通接点が前記主コネクタの常時開接点に接続される場合には、前記単極双投スイッチの共通接点は、前記単極双投スイッチの常時開接点に接続される。
【０００６】
第１の態様に関連し、第１の可能な実施様式において、
前記主コネクタの共通接点が前記主コネクタの常時開接点に接続されていない場合には、前記単極双投スイッチの共通接点は、前記単極双投スイッチの常閉接点に接続される。
【０００７】
第１の態様又は第１の態様の第１の可能な実施様式に関連し、第２の可能な実施様式において、前記回路は、単極単投スイッチをさらに含み、前記単極単投スイッチの常時開接点は、前記単極単投スイッチを使用することにより、前記主コネクタの常閉接点に接続され、
前記主コネクタの共通接点が前記主コネクタの常時開接点に接続されている場合には、前記単極単投スイッチは閉じている。
【０００８】
第２の態様は、主コネクタと、第１単極双投スイッチと、第２単極双投スイッチを含むアンテナインターフェース回路を提供し、
前記主コネクタの共通接点は、主受信器のポートとして使用され、
前記主コネクタの常閉接点は、前記第１単極双投スイッチの常閉接点に接続されるとともに前記第１単極双投スイッチの共通接点は、主アンテナのポートとして使用され、
前記主コネクタの常時開接点は、外部アンテナのポートとして使用され、
前記第２単極双投スイッチの共通接点は、ダイバシティ受信器のポートとして使用され、
前記第２単極双投スイッチの常閉接点は、ダイバシティアンテナのポートとして使用され、
前記第２単極双投スイッチの常時開接点は、前記第１単極双投スイッチの常時開接点に接続され、
前記主コネクタの共通接点が前記主コネクタの常時開接点に接続されている場合には、前記第１単極双投スイッチの共通接点は、前記第１単極双投スイッチの常時開接点に接続されるとともに、前記第２単極双投スイッチの共通接点は、前記第２単極双投スイッチの常時開接点に接続される。
【０００９】
第２の態様に関連し、第１の可能な実施様式において、
前記主コネクタの共通接点が前記主コネクタの常時開接点に接続されていない場合には、前記第１単極双投スイッチの共通接点は、前記第１単極双投スイッチの常閉接点に接続されるとともに、前記第２単極双投スイッチの共通接点は、前記第２単極双投スイッチの常閉接点に接続される。
【００１０】
第３の態様は、先述のアンテナインターフェース回路の内の任意の１つを含むユニバーサル・モバイル・テレコミュニケーションズ・システム・データカードを提供する。
【００１１】
第４の態様は、アンテナ接続制御方法を提供し、
主受信器が外部アンテナに接続されているかどうかを検出するステップと、
前記主受信器が前記外部アンテナに接続されている場合には、ダイバシティ受信器を主アンテナに接続するように制御するステップと、
を含む。
【００１２】
第４の態様に関連し、第１の可能な実施様式において、前記方法は、
前記主受信器が前記外部アンテナに接続されていない場合には、前記ダイバシティ受信器をダイバシティアンテナに接続するように制御するステップ
をさらに含む。
【００１３】
第５の態様は、アンテナ接続制御装置を提供し、
主受信器が外部アンテナに接続されているかどうかを検出するように構成されている検出ユニットと、
前記主受信器が前記外部アンテナに接続されている場合には、ダイバシティ受信器を主アンテナに接続するように制御するように構成されている制御ユニットと、
を含む。
【００１４】
第５の態様に関連し、第１の可能な実施様式において、制御ユニットは、前記主受信器が前記外部アンテナに接続されていない場合には、前記ダイバシティ受信器をダイバシティアンテナに接続するように制御するようにさらに構成されている。
【００１５】
第１の態様において提供される前記アンテナインターフェース回路、第２の態様により提供される前記アンテナインターフェース回路、第３の態様により提供されるユニバーサル・モバイル・テレコミュニケーションズ・システム・データカード、第４の態様により提供されるアンテナ接続制御方法、又は第５の態様により提供される前記アンテナ接続制御装置によれば、主受信器が外部アンテナと接続されている場合には、ダイバシティ受信器は、主アンテナに接続可能である。主受信器が外部アンテナに接続されている場合にダイバシティ受信器がダイバシティアンテナに接続される従来技術におけるソリューションと比べると、本発明の実施形態において提供されるソリューションにより、主受信器とダイバシティ受信器に接続されているアンテナ間の性能差が縮小され、これにより、前記主受信器と前記ダイバシティ受信器との間の性能差が縮小するとともに、システムのMIMO効率が改善される。
【００１６】
本発明をより理解するために図面が提供され、それらは明細書の一部を構成する。図面は、本発明の実施形態とともに、本発明を説明するために使用され、本発明に何らの限定をするものではない。図面において：
【図面の簡単な説明】
【００１７】
【図１】図１は、従来技術におけるアンテナインターフェース回路の概略図である。
【図２】図２は、本発明の実施形態１によるアンテナインターフェース回路の第１の概略図である。
【図３】図３は、本発明の実施形態１によるアンテナインターフェース回路の第２の概略図である。
【図４】図４は、本発明の実施形態２によるアンテナインターフェース回路の第１の概略図である。
【図５】図５は、本発明の実施形態２によるアンテナインターフェース回路の第２の概略図である。
【図６】図６は、本発明の実施形態３によるアンテナインターフェース回路の第１の概略図である。
【図７】図７は、本発明の実施形態３によるアンテナインターフェース回路の第２の概略図である。
【図８】図８は、本発明の実施形態５によるアンテナ接続制御方法の概略フローチャートである。
【図９】図９は、本発明の実施形態６によるアンテナ接続制御装置の概略構造図である。
【発明を実施するための形態】
【００１８】
システムのMIMO効率を改善するための実施ソリューションを提供するために、本発明の実施形態は、アンテナインターフェース回路、ユニバーサル・モバイル・テレコミュニケーションズ・システム・データカード、及びアンテナ接続制御方法及び装置を提供する。好適な本発明の実施形態が、添付の図面を参照して以下に説明される。本明細書で説明される好適な実施形態は、本発明を何らかの限定することを意図しているのではなく、単に本発明を表現及び説明するために使用されていることは理解されるべきである。この明細書における実施形態及び実施形態における特徴は、矛盾を生じさせることなく、互いに組み合わせることが可能である。
【００１９】
［実施形態１］
図２において示されているように、本発明の実施形態１は、主コネクタ(connector)と、単極双投スイッチ(SPDT)を含んでいるアンテナインターフェース回路を提供し、
主コネクタ(connector)の共通接点(c0)は、主受信器のポートとして使用され、
主コネクタ(connector)の常閉接点(c1)は、主アンテナのポートとして使用され、
主コネクタ(connector)の常時開接点(c2)は、外部アンテナのポートとして使用され、
単極双投スイッチ(SPDT)の共通接点(s0)は、ダイバシティ受信器のポートとして使用され、
単極双投スイッチ(SPDT)の常閉接点(s1)は、ダイバシティアンテナのポートとして使用され、
単極双投スイッチ(SPDT)の常時開接点(s2)は、主コネクタ(connector)の常閉接点(c1)に接続され、
主コネクタ(connector)の共通接点(c0)が主コネクタ(connector)の常時開接点(c2)に接続されている場合には、単極双投スイッチ(SPDT)の共通接点(s0)は、単極双投スイッチ(SPDT)の常時開接点(s2)に接続される。
【００２０】
すなわち、主受信器が外部アンテナと接続される場合には、ダイバシティ受信器は主アンテナと接続される。この場合において、回路状態は、図２に示されている状態である。
【００２１】
主受信器が外部アンテナに接続されている場合に、ダイバシティ受信器が依然としてダイバシティアンテナに接続されている場合における従来技術におけるソリューションと比べ、本発明の実施形態１におけるソリューションにより、主受信器が外部アンテナに接続されている場合に、ダイバシティ受信器は、外部アンテナと小さな性能差を有する主アンテナに接続され、これにより、前記主受信器と前記ダイバシティ受信器との間の性能差が縮小するとともに、システムのMIMO効率が改善されることが分かる。
【００２２】
さらに、図３に示されているように、主コネクタ(connector)の共通接点(c0)が主コネクタ(connector)の常時開接点(c2)に接続されていない場合には、単極双投スイッチ(SPDT)の共通接点(s0)は、単極双投スイッチ(SPDT)の常閉接点(s1)に接続される。
【００２３】
すなわち、主受信器が外部アンテナに接続されておらず、主アンテナに接続されている場合には、ダイバシティ受信器は、ダイバシティアンテナに接続される。
【００２４】
具体的な実装において、以下の実施形態２におけるアンテナインターフェース回路は、接続ケーブルが主アンテナの性能に悪影響を与えるほど過度に長くなることを防ぐためにも使用され得る。
【００２５】
［実施形態２］
本発明の実施形態２において提供されるアンテナインターフェース回路が図４に示されており、先述の実施形態１において提供されたアンテナインターフェース回路に基づいて、単極単投スイッチ(SPST)をさらに含み、単極双投スイッチ(SPST)の常時開接点(s2)は、単極単投スイッチ(SPST)を使用することにより、主コネクタ(connector)の常閉(c1)と接続されており、主コネクタ(connector)の共通接点(c0)が主コネクタ(connector)の常時開接点(c2)に接続されている場合には、単極単投スイッチ(SPST)は閉じている。
【００２６】
すなわち、主受信器が外部アンテナに接続されている場合には、ダイバシティ受信器が主アンテナに接続されるように、単極双投スイッチ(SPDT)の共通接点(s0)は、単極双投スイッチ(SPDT)の常時開接点(s2)に接続され、単極単投スイッチ(SPST)は閉じられている。この場合において、回路状態は、図４に示されている状態である。
【００２７】
さらに、主コネクタ(connector)の共通接点(c0)が主コネクタ(connector)の常時開接点(c2)に接続されていない場合には、単極双投スイッチ(SPDT)の共通接点(s0)は、単極双投スイッチ(SPDT)の常閉接点(s1)に接続され、単極単投スイッチ(SPST)は閉じられていてもよいが、好適には単極単投スイッチ(SPST)は開いている。この場合において、回路状態は、図５に示されている状態である。
【００２８】
すなわち、主受信器が外部アンテナに接続されていないが、主アンテナに接続されている場合には、ダイバシティ受信器は、ダイバシティアンテナに接続される。
【００２９】
先述の実施形態１と比べ、本発明の実施形態２において提供されるアンテナインターフェース回路により、システムのMIMO効率も改善され得、接続ケーブルが主アンテナの性能に悪影響を与えるほど過度に長くなることを防ぐために、単極単投スイッチ(SPST)が追加されることにより接続ケーブルが分割されることができる。
【００３０】
［実施形態３］
本発明の実施形態３は、図６に示されているように、主コネクタ(connector)、第１単極双投スイッチ(SPDT 1)、及び第２単極双投スイッチ(SPDT 2)を含んでいるアンテナインターフェース回路をさらに提供し、
主コネクタ(connector)の共通接点(c0)は、主受信器のポートとして使用され、
主コネクタ(connector)の常閉接点(c1)は、第１単極双投スイッチ(SPDT 1)の常閉接点(s11)に接続され、第１単極双投スイッチ(SPDT 1)の共通接点(s10)は、主アンテナのポートとして使用され、
主コネクタ(connector)の常時開接点(c2)は、外部アンテナのポートとして使用され、
第２単極双投スイッチ(SPDT 2)の共通接点(s20)は、ダイバシティ受信器のポートとして使用され、
第２単極双投スイッチ(SPDT 2)の常閉接点(s21)は、ダイバシティアンテナのポートとして使用され、
第２単極双投スイッチ(SPDT 2)の常時開接点(s22)は、第１単極双投スイッチ(SPDT 1)の常時開接点(s12)に接続され、
主コネクタ(connector)の共通接点(c0)が主コネクタ(connector)の常時開接点(c2)に接続されている場合には、第１単極双投スイッチ(SPDT 1)の共通接点(s10)は、第１単極双投スイッチ(SPDT 1)の常時開接点(s12)に接続されるとともに、第２単極双投スイッチ(SPDT 2)の共通接点(s20)は、第２単極双投スイッチ(SPDT 2)の常時開接点(s22)に接続される。
【００３１】
すなわち、主受信器が外部アンテナに接続される場合には、ダイバシティ受信器は、主アンテナに接続される。この場合において、回路状態は、図６に示されている状態である。
【００３２】
さらに、図７に示されているように、主コネクタ(connector)の共通接点(c0)が主コネクタ(connector)の常時開接点(c2)に接続されていない場合には、第１単極双投スイッチ(SPDT 1)の共通接点(s10)が、第１単極双投スイッチ(SPDT 1)の常閉接点(s11)に接続されるとともに、第２単極双投スイッチ(SPDT 2)の共通接点(s20)が、第２単極双投スイッチ(SPDT 2)の常閉接点(s21)に接続される。
【００３３】
すなわち、主受信器が外部アンテナに接続されていないが、主アンテナに接続されている場合には、ダイバシティ受信器は、ダイバシティアンテナに接続される。
【００３４】
本発明の実施形態３において提供されるアンテナインターフェース回路は、先述の実施形態２と同じ原理を有しており、それゆえ同じ技術的効果を達成することが可能であることが分かる。
【００３５】
実施形態１から実施形態３のいずれか１つにおけるアンテナインターフェース回路は、製品性能を改善するために、複数のタイプの通信製品に適用され得る。
【００３６】
［実施形態４］
本発明の実施形態４は、先述の実施形態１から実施形態３のいずれか１つにおけるアンテナインターフェース回路を含んでいるユニバーサル・モバイル・テレコミュニケーションズ・システム・データカードを提供する。
【００３７】
［実施形態５］
本発明の実施形態５は、アンテナ接続制御方法を提供し、図８に示されているように、以下のステップを含む。
【００３８】
ステップ801：主受信器が外部アンテナに接続されているかどうかを検出する。
【００３９】
ステップ802：主受信器が外部アンテナに接続されている場合には、ダイバシティ受信器を主アンテナに接続するように制御する。
【００４０】
さらに、アンテナ接続制御方法は、
主受信器が外部アンテナに接続されていない場合には、ダイバシティ受信器をダイバシティアンテナに接続するように制御する
ことをさらに含む。
【００４１】
すなわち、本発明の実施形態５で提供されるアンテナ接続制御方法において、主受信器とダイバシティ受信器に接続されているアンテナ間の性能差を減少することにより主受信器とダイバシティ受信器の間の性能差が減少するように、主受信器が外部アンテナに接続されているかどうかが検出されるとともに決定され、ダイバシティ受信器に接続されているアンテナが、主受信器が接続されているアンテナに従って決定され、これによりシステムのMIMO効率が改善する。
【００４２】
［実施形態６］
先述の本発明の実施形態５において提供されるアンテナ接続制御方法に従う同じ発明概念に基づき、それに対応する本発明の実施形態６は、概略構造図が図９に示されているアンテナ接続制御装置をさらに提供し、
主受信器が外部アンテナに接続されているかどうかを検出するように構成されている検出ユニット 901と、
主受信器が外部アンテナに接続されている場合には、ダイバシティ受信器を主アンテナに接続するように制御するように構成されている制御ユニット 902と、
を特に含む。
【００４３】
さらに、制御ユニット 902は、主受信器が外部アンテナに接続されていない場合には、ダイバシティ受信器をダイバシティアンテナに接続するように制御するようにさらに構成される。
【００４４】
結論として、本発明の実施形態において提供されるソリューションにより、システムのMIMO効率が改善されることが可能となる。
【００４５】
本発明のいくつかの好適な実施形態が説明されているが、基本的な発明概念を一度理解すれば、当業者はこれらの実施形態を変更、修正できることは、当業者であれば理解し得る。したがって、以下の特許請求の範囲は、好適な実施形態及び変更、修正のすべてが本発明の保護範囲に含まれることが意図されている。
【００４６】
当業者は、本発明の実施形態の範囲を逸脱することなく、本発明の実施形態に対する様々な修正及び変形を行うことができることは明らかである。本発明は、これらの修正及び変形を包含することが意図されており、以下の特許請求の範囲及びそれらの等価な技術により定義される保護範囲内に入る。
【符号の説明】
【００４７】
901 検出ユニット
902 制御ユニット
【図１】
0006315523.tif 000002
【図２】
0006315523.tif 000003
【図３】
0006315523.tif 000004
【図４】
0006315523.tif 000005
【図５】
0006315523.tif 000006
【図６】
0006315523.tif 000007
【図７】
0006315523.tif 000008
【図８】
0006315523.tif 000009
【図９】
0006315523.tif 000010